(57)【要約】【課題】シームレス密連結型改良プラスチック樹脂隔壁ストリップを提供すること。【解決手段】隔壁ストリップのタングエッジ外表面およびエッジグルーブ内表面の一方または両方に少なくとも１つの封止用突出リブまたは２つの封止用突出リブが形成されていることからなる。隔壁ストリップが相互に連結された際に、タングエッジ外表面とエッジグルーブ内表面との間の間隙をしっかりと塞ぐように封止用突出リブを使用することができ、これにより、浸水を防ぎ、掃流砂量の損失および地盤沈下を防止することが可能である。【選択図】図３
2015124474.tif 000002
【特許請求の範囲】
【請求項１】
シームレス密連結型プラスチック樹脂隔壁ストリップであって、前記隔壁ストリップのいずれか一方の側にタングエッジおよびエッジグルーブを有し、
前記隔壁ストリップの前記タングエッジ外表面および前記エッジグルーブ内表面の一方に形成された封止用突出リブ
を含むことを特徴とする、隔壁ストリップ。
【請求項２】
前記隔壁ストリップの前記タングエッジ外表面および前記エッジグルーブ内表面のもう一方に形成された別の封止用突出リブをさらに含むことを特徴とする、請求項１に記載のシームレス密連結型プラスチック樹脂隔壁ストリップ。
【請求項３】
前記封止用突出リブが、頂角が３０度で底角が７５度の二等辺三角形の形状とされ、６ｍｍ以下の長さであることを特徴とする、請求項１に記載のシームレス密連結型プラスチック樹脂隔壁ストリップ。
【請求項４】
１つの隔壁ストリップのタングエッジが、別の１つの隔壁ストリップのエッジグルーブと連結可能であり、前記タングエッジ外表面と前記エッジグルーブ内表面との間の間隙が５ｍｍ以下２ｍｍ以上であることを特徴とする、請求項１に記載のシームレス密連結型プラスチック樹脂隔壁ストリップ。
【発明の詳細な説明】
【技術分野】
【０００１】
（Ａ）発明の属する技術分野
本発明は、河川、湖沼および海岸の土壌を保持するための護岸壁に使用される隔壁ストリップに関する。さらに詳しくは、前記隔壁ストリップは、プラスチック樹脂製であり、プラスチック押出成形機によって波形またはＭ形もしくはＺ形のストリップに連続成形される。前記隔壁ストリップは、そのいずれか一方の側にタングエッジおよびエッジグルーブを有する。前記隔壁ストリップのタングエッジおよびエッジグルーブの両方または一方に少なくとも１つの封止用突出リブが形成されている。前記隔壁ストリップが相互に連結されると、前記リブが、土壌保持用または遮水用の壁として構成され、これにより、河川水または海水の浸入を防ぎ、掃流砂量の損失および地盤沈下を防止する。密に連結することができないという既存技術（先行技術）における隔壁ストリップの欠点が解決される。
【背景技術】
【０００２】
（Ｂ）関連技術の説明
これまで、水路、河川、湖沼または海の近くにある護岸壁は、一般に木製、スチール(steal)製またはセメント製であり、護岸壁または岸の保全と安全を保証する目的で、浸水を防ぎ、掃流砂量の損失および近隣の地盤沈下を防止するための壁（列状）として建設されている。
【０００３】
「Seawall」と題する、１９８７年６月２３日発行の特許文献１には、護岸に使用される、ポリ塩化ビニル（以下、ＰＶＣと称する）製の隔壁ストリップが開示されている。そのストリップには、いずれかの側にタングエッジ、およびアンダーカットが施されたエッジグルーブが設けられている。１つのストリップのタングエッジと別のストリップのエッジグルーブとは相互連結／係合が可能であるため、浸水を防ぎ掃流砂量の損失および地盤沈下を防止するための壁（列状）を建設する目的で、一連のストリップを、水路、河川、湖沼または海の水と岸との接触地点で地面に垂直に打ち込むことができる。
【０００４】
しかしながら、上述の米国特許では、一方のストリップのタングエッジ外表面ともう一方のストリップのエッジグルーブ内表面との間の空間または間隙は、ストリップの連結プロセスに影響(influent)を及ぼさないような小さなものに設計することができない。一方で、間隙の空間が５ｍｍより大きい場合には、隔壁ストリップを容易にスライドさせて相互に連結することができるが、タングエッジとエッジグルーブとを密連結することができず、ストリップの相互接合部で漏水するおそれがある。これまでに、この欠点を解決することができる好ましい技術的思想は存在していない。
【先行技術文献】
【特許文献】
【０００５】
【特許文献１】米国特許第４，６７４，９２１号明細書
【発明の概要】
【０００６】
本発明は、シームレス密連結型改良プラスチック樹脂隔壁ストリップを提供するという技術的課題を解決しようとするものであり、その隔壁ストリップは、非常に簡単な構造を有し、隔壁ストリップの接合部で河川、湖沼もしくは海または水路の岸の水を効果的に遮断することができ、その結果、水または海水は隔壁ストリップの護岸壁を通って岸の土壌に浸透することができず、掃流砂量の損失および地盤沈下が防止されるとともに、改良隔壁ストリップの製造原価および隔壁ストリップを接合する工費などの商品化コストはほとんど同じであると考えられる。
【０００７】
隔壁ストリップを密に連結することができないという上述の欠点を解決するために、本発明は、シームレス密連結型プラスチック樹脂隔壁ストリップを提供し、この場合に改良された技術的特徴は、隔壁ストリップのタングエッジ外表面およびエッジグルーブ内表面の一方または両方に少なくとも１つの封止用突出リブまたは２つの封止用突出リブが形成されているということである。よって、隔壁ストリップが相互に連結された際に、タングエッジ外表面とエッジグルーブ内表面との間の間隙をしっかりと塞ぐように封止用突出リブを使用することができ、これにより、浸水を防ぎ、掃流砂量の損失および地盤沈下を防止するという期待される機能が達成される。
【図面の簡単な説明】
【０００８】
【図１】図１は、隔壁ストリップを用いて構成された、河川、湖沼または海の岸の透視図および断面図の例である。
【図２】図２は、本発明の実施形態に従う、河川、湖沼または海の岸用の隔壁ストリップの透視構造図の例であり、これは先行技術の隔壁ストリップと類似している。
【図３】図３は、本発明の実施形態に従うＭ形シームレス密連結型プラスチック樹脂隔壁ストリップの透視構造図の例である。
【図３−１】図３−１は、本発明の実施形態に従うＺ形シームレス密連結型プラスチック樹脂隔壁ストリップの透視構造図の例である。
【図４】図４は、本発明の実施形態に従う２つのシームレス密連結型プラスチック樹脂隔壁ストリップのタングエッジとエッジグルーブの連結状態を示す断面図である。
【図５】図５は、本発明の実施形態によるシームレス密連結型プラスチック樹脂隔壁ストリップのタングエッジとエッジグルーブの様々な形状の連結状態を示す断面図の例である。
【発明を実施するための形態】
【０００９】
本発明の特徴および技術内容をさらに理解するために、添付の図面を参照して本発明の詳細な説明を記載する。しかしながら、それらの図面は例示にすぎず、本発明の範囲を限定するために用いるものではない。
【００１０】
図２を参照すると、その図は、河川、湖沼および海用の先行技術の隔壁ストリップ構造を示している。この図では、隔壁ストリップ１は本体を有し、その構造は先行技術の隔壁ストリップと類似している。エッジグルーブ１１は隔壁ストリップの一方の側に形成され、タングエッジ１２は隔壁ストリップ(bulkhead stip)のもう一方の側に形成されている。隔壁ストリップ１の上端１３および下端１４も示されている。
【００１１】
図３および図３−１を参照すると、それらの図は、本発明の実施形態によるプラスチック樹脂隔壁ストリップ構造を示している。複数の隔壁ストリップを相互に、シームレスに密連結することができる。図３に示すプラスチック樹脂隔壁ストリップはＭ形であり、図３−１に示すプラスチック樹脂隔壁ストリップはＺ形である。これらの図では、隔壁ストリップに補強リブ１０が形成されている。エッジグルーブ１１は隔壁ストリップの一方の側に位置し、タングエッジ１２は隔壁ストリップのもう一方の側に位置している。エッジグルーブ１１には複数の封止用突出リブ１１１が形成され、封止用突出リブ１１１は頂角が３０度で底角が７５度の二等辺三角形の形状とされる。封止用突出リブ１１１の末端部には傾斜１１１２がある。タングエッジ１２には複数の封止用突出リブ１２２が形成され、封止用突出リブ１２２は頂角が３０度で底角が７５度の二等辺三角形の形状とされる。封止用突出リブ１２２の末端部には傾斜１２２２がある。タングエッジ１２の、エッジグルーブ１１への密着スライド嵌込を容易にするためにタングエッジ１２が弾性を持つように、タングエッジ１２は開口部１２１を備えている。
【００１２】
図４を参照すると、その図は、連結された１対のプラスチック樹脂隔壁ストリップのタングエッジとエッジグルーブを示している。
【００１３】
図５を参照すると、その図は、相互に連結されたプラスチック樹脂隔壁ストリップのいずれか一方の側にある様々な形状のタングエッジとエッジグルーブの図の例を示している。
【００１４】
当業者ならば、シームレス密連結型プラスチック樹脂隔壁ストリップは、プラスチック樹脂製であり、プラスチック押出成形機（押出成形プロセス）によって、本発明の設計特性を実行する型を通して、実質１６０℃〜実質２００℃の間の温度において、実質０．４ｍ／分〜実質４ｍ／分の間の速度で連続成形されることが理解することができるよう。連続成形された隔壁ストリップは、実質４ｍｍ〜３０ｍｍの厚さ、実質３０ｃｍ〜１２０ｃｍの幅であり、実質１ｍ〜３０ｍの長さにカットすることができる。隔壁ストリップの作製に使用されるプラスチック樹脂の材料は、ＰＶＣ、ＰＰ、ＰＳ、ＡＢＳ、ＦＲＰ、ＰＥＴ、またはガラス繊維もしくは炭素繊維を含む一般的なプラスチックの群から選択される。また、隔壁ストリップのタングエッジおよびエッジグルーブの両方または一方にある封止用突出リブは、６ｍｍ以下の長さであり、頂角が３０度で底角が７５度の二等辺三角形の形状とされる。封止用突出リブの数は少なくとも１つ、多くて４つであってよく、その好ましい数は２つである。２つの隔壁ストリップが相互に連結された際のタングエッジ外表面とエッジグルーブ内表面との間の空間または間隙は５ｍｍ以下２ｍｍ以上である。
【図２】
2015124474.tif 000003
【図３】
2015124474.tif 000004
【図３−１】
2015124474.tif 000005
【図４】
2015124474.tif 000006
【図５】
2015124474.tif 000007
【図１】
2015124474.tif 000008